(57)【要約】【課題】  写真プリントの作成に係る端末処理装置を容易に特定することができる画像処理システム、及びこのシステムに用いられる写真処理装置を提供すること。【解決手段】  写真感光材料に画像を焼付露光する露光エンジン３２を有する写真処理装置１と、入力された画像データに対して画像処理を行う機能を有する第２画像処理部４０を備えた端末処理装置２と、１台又は複数台の写真処理装置１と、１台又は複数台の端末処理装置２とを接続するネットワーク３とを備えた画像処理システムであって、端末処理装置２に設けられ、端末処理装置２の識別情報が保存される識別情報保存部５４と、写真処理装置１に設けられ、前記識別情報を前記写真感光材料に印字可能に構成された印字装置３６と、写真処理装置１および端末処理装置２の少なくとも一方に設けられ、前記識別情報を任意に設定可能とする機能を有する識別情報設定部２６とを備える。【選択図】  図２
2005196622.tif 000002
【特許請求の範囲】
【請求項１】
写真感光材料に画像を焼付露光する画像露光部を有する写真処理装置と、
入力された画像データに対して画像処理を行う機能を有する画像処理部を備えた端末処理装置と、
１台又は複数台の前記写真処理装置と、１台又は複数台の前記端末処理装置とを接続するネットワーク手段とを備えた画像処理システムであって、
前記端末処理装置に設けられ、その端末処理装置の識別情報が保存される識別情報保存部と、
前記写真処理装置に設けられ、前記識別情報を前記写真感光材料に印字可能に構成された印字手段と、
前記写真処理装置および前記端末処理装置の少なくとも一方に設けられ、前記識別情報を任意に設定可能とする機能を有する識別情報設定部と、を備えることを特徴とする画像処理システム。
【請求項２】
前記画像処理部は、前記画像処理の結果得られる画像処理データに、前記識別情報を付随させる機能を有する請求項１に記載の画像処理システム。
【請求項３】
前記識別情報の設定の際、その設定しようとする前記識別情報が、前記ネットワーク手段に接続された他の前記端末処理装置において既に設定されているか否かを判定する判定手段と、
前記判定の結果に基づいて、設定しようとする前記識別情報が、前記ネットワーク手段に接続された他の前記端末処理装置において既に設定されていることを警告する警告手段とを備える請求項１又は２に記載の画像処理システム。
【請求項４】
前記写真処理装置は、前記識別情報の設定状況を管理する機能を有する管理手段を備える請求項１〜３のいずれかに記載の画像処理システム。
【請求項５】
入力された画像データに対して画像処理を行う機能を有する画像処理部を備えた端末処理装置とネットワーク手段を介して接続される写真処理装置であって、
写真感光材料に画像を焼付露光する画像露光部と、前記端末処理装置の識別情報を前記写真感光材料に印字可能に構成された印字手段と、前記端末処理装置が備える前記識別情報を任意に設定可能とする機能を有する識別情報設定部と、を備えることを特徴とする写真処理装置。
【請求項６】
前記画像処理部は、前記画像処理の結果得られる画像処理データに、前記識別情報を付随させる機能を有する請求項５に記載の写真処理装置。
【発明の詳細な説明】
【技術分野】
【０００１】
本発明は、写真処理装置と端末処理装置とをネットワークで接続した画像処理システム、及びこの画像処理システムに用いられる写真処理装置に関するものである。
【背景技術】
【０００２】
かかる画像処理システムにおける写真プリント処理の概要を説明する。まず、写真処理装置では、入力された画像データに対して適宜の画像処理を行い、この画像処理により得られた画像処理データに基づいて、写真感光材料に対する画像露光のために使用されるデータ（以下、露光用画像データと呼ぶ。）を生成する。入力される画像データの種類は種々のものがあり、ネガフィルムやポジフィルムのような写真フィルムをスキャニングすることで得られる画像データの他に、デジタルカメラの記憶メディア（スマートメディアTM、コンパクトフラッシュTM、メモリースティックTM等) やＣＤ−Ｒ、ＭＯ等の記録媒体から入力される画像データがある。
【０００３】
オペレータは、写真処理装置に入力された画像データに対して、補正データを適宜入力することで、色補正や濃度補正などの種々の画像処理を施すことができる。この画像処理により得られた画像処理データに基づいて露光用画像データが生成され、露光エンジンに転送される。露光エンジンでは、露光用画像データに基づいて写真感光材料の乳剤面に画像が焼付露光される。写真感光材料は現像処理部に送り込まれ、現像処理及び乾燥処理が施された後、仕上がりの写真プリントとして装置外部に排出される。
【０００４】
一方、上記写真処理装置と受付端末装置とをネットワーク手段により接続した写真プリント作成システムが知られている（例えば、本出願人による下記特許文献１）。このシステムでは、写真プリントを作成する写真処理装置と、端末処理装置（端末コンピュータ）とがネットワーク手段により接続されている。端末処理装置では、主にデジタルカメラ等の記録媒体から画像データが入力される。端末処理装置に入力された画像データは、端末処理装置に搭載された一般的な画像処理ソフトウェアによって画像処理され、画像処理データが生成される。画像処理データは、ネットワーク手段を介して写真処理装置に送信され、上記の要領で露光用画像データが生成される。生成された露光用画像データは露光エンジンに転送され、写真プリントの作成が行われる。
【０００５】
上述の画像処理システムは、例えば、写真店内に設置されるものである。写真店では、受付処理の効率化を図るために、複数台の端末処理装置を設置することがあり、しかも、それらを異なるフロアー又は建物に設置することがある。かかる場合、写真処理装置は、各端末処理装置から送信される画像処理データに基づいて順次写真プリント処理を行う。写真処理装置側にいるオペレータは、その作成された写真プリントの検品を行い、仕上がりの品質が良くない場合には、オペレータの判断で再度の写真プリント処理、いわゆる焼き直し処理が行われる。
【０００６】
焼き直し処理は、焼き直しに係る画像処理データを端末処理装置から写真処理装置に再度送信することで行われる。そのため、オペレータは、写真プリントがどの端末処理装置から送信された画像処理データを用いて作成されたものであるかを特定する必要があり、従来より、作成された写真プリントの裏印字（以下、ＣＶＰと呼ぶ。）を確認していた。ＣＶＰには、色や濃度の補正に関する画像補正情報、ファイル名、オーダーＩＤ、フィルムのコマ番号などが表示されており、当該ＣＶＰに表示される情報は、各端末処理装置ごとに予め定められていた。よって、オペレータは、このＣＶＰに表示された情報と、各端末処理装置に関する補正情報やオーダーＩＤなどを照合するという、非効率且つ煩雑な作業によって端末処理装置の特定を行っていた。
【特許文献１】特開２００３−２４１９３５号公報 (図１、図２等)
【発明の開示】
【発明が解決しようとする課題】
【０００７】
本発明は上記実情に鑑みてなされたものであり、その課題は、写真プリントの作成に係る端末処理装置を容易に特定することができる画像処理システム、及びこのシステムに用いられる写真処理装置を提供することである。 
【課題を解決するための手段】
【０００８】
上記課題を解決するため本発明に係る画像処理システムは、写真感光材料に画像を焼付露光する画像露光部を有する写真処理装置と、入力された画像データに対して画像処理を行う機能を有する画像処理部を備えた端末処理装置と、１台又は複数台の前記写真処理装置と、１台又は複数台の前記端末処理装置とを接続するネットワーク手段とを備えた画像処理システムであって、前記端末処理装置に設けられ、その端末処理装置の識別情報が保存される識別情報保存部と、前記写真処理装置に設けられ、前記識別情報を前記写真感光材料に印字可能に構成された印字手段と、前記写真処理装置および前記端末処理装置の少なくとも一方に設けられ、前記識別情報を任意に設定可能とする機能を有する識別情報設定部と、を備える。
【０００９】
この構成による画像処理システムの作用効果を説明する。この画像処理システムは、１台以上の写真処理装置と１台以上の端末処理装置とがネットワーク手段により接続されている。端末処理装置には画像処理部が設けられ、端末処理装置に入力された画像データはこの画像処理部にて画像処理を行うことができる。画像処理の結果得られた画像処理データは写真処理装置に送信され、画像露光部の機能に基づいて写真感光材料に対する画像の焼付露光処理が行われる。なお、画像処理データの形態については、特定のものに限定されるものではなく、例えば、入力された画像データと、画像処理に関する補正データとの組み合わせにより構成することができる。
【００１０】
そして、本発明の画像処理システムによれば、写真処理装置が、端末処理装置の識別情報を写真感光材料に印字する印字手段を備えているため、写真プリントにその作成に係る端末処理装置の情報を印字することができる。しかも、識別情報を任意に設定可能とする識別情報設定部を備えることにより、オペレータにとって判別し易い形態で印字することができる。これにより、焼き直し処理等を行う場合において、オペレータは、ネットワーク手段に接続された複数台の端末処理装置の中から、その写真プリントの作成に係る端末処理装置を容易に特定することができる。識別情報設定部は写真処理装置と端末処理装置のどちらに設けても構わないが、写真処理装置に設けた場合、オペレータは写真処理装置において各端末処理装置の識別情報を一元的に設定することができるため、識別情報の設定作業が簡便となる。一方、端末処理装置に設けた場合、各端末処理装置において個別的に設定可能であるため、オペレータの作業性が向上する。
【００１１】
本発明に係る画像処理システムを構成するにあたり、前記画像処理部は、前記画像処理の結果得られる画像処理データに、前記識別情報を付随させる機能を有するものが好ましい。
【００１２】
端末処理装置に入力された画像データを用いて写真プリントを作成する場合、端末処理装置の画像処理部による画像処理によって得られた画像処理データが、写真処理装置に送信される。したがって、画像処理データに端末処理装置の識別情報を付随させることで、当該識別情報を画像処理データに相伴わせて写真処理装置に送信することができるため、効率的な処理を行うことができる。
【００１３】
本発明に係る画像処理システムを構成するにあたり、前記識別情報の設定の際、その設定しようとする前記識別情報が、前記ネットワーク手段に接続された他の前記端末処理装置において既に設定されているか否かを判定する判定手段と、前記判定の結果に基づいて、設定しようとする前記識別情報が、前記ネットワーク手段に接続された他の前記端末処理装置において既に設定されていることを警告する警告手段とを備えるものが好ましい。
【００１４】
上記判定手段と上記警告手段とを備えることにより、各端末処理装置に設定される識別情報の重複を避けることができる。その結果、写真プリントの作成に係る端末処理装置を確実に特定することができる。
【００１５】
本発明に係る画像処理システムを構成するにあたり、前記写真処理装置は、前記識別情報の設定状況を管理する機能を有する管理手段を備えるものが好ましい。
【００１６】
上記管理手段により、オペレータは各端末処理装置における識別情報の設定状況を容易に把握することができ、その管理を効率的に行うことができる。また、写真プリントの作成に係る端末処理装置を特定する作業は、作成された写真プリントに基づいて主に写真処理装置において行われるため、当該管理手段を写真処理装置に備えることで、作業をより効率的に行うことができる。
【００１７】
上記課題を解決するため本発明に係る写真処理装置は、入力された画像データに対して画像処理を行う機能を有する画像処理部を備えた端末処理装置とネットワーク手段を介して接続される写真処理装置であって、写真感光材料に画像を焼付露光する画像露光部と、前記端末処理装置の識別情報を前記写真感光材料に印字可能に構成された印字手段と、前記端末処理装置が備える前記識別情報を任意に設定可能とする機能を有する識別情報設定部とを備える。
【００１８】
かかる構成を備えた写真処理装置により、既に述べたとおり、ネットワーク手段に複数台の端末処理装置が接続された場合であっても、写真プリントの作成に係る端末処理装置を容易に特定することができる。
【００１９】
本発明に係る写真処理装置を構成するにあたり、前記画像処理部は、前記画像処理の結果得られる画像処理データに、前記識別情報を付随させる機能を有するものが好ましい。
【００２０】
かかる構成を備えた写真処理装置により、既に述べたとおり、識別情報を画像処理データに相伴わせて写真処理装置に送信することができるため、効率的な処理を行うことができる。
【発明を実施するための最良の形態】
【００２１】
本発明に係る画像処理システムの好適な実施形態を図面を用いて説明する。図１は、システムの概要を示す模式図である。
【００２２】
＜画像処理システムの構成＞
図１において、画像処理システムは写真処理装置１と端末処理装置２とがネットワーク３（前記ネットワーク手段に相当する。）により接続されている。ネットワーク３に接続される写真処理装置１の台数は１台又は複数台であり、接続される台数は任意に設定することができる。同じく、ネットワーク３に接続される端末処理装置２の台数も１台又は複数台であり、接続される台数は任意に設定することができる。ネットワーク３は、例えば、イーサネットTMによるＬＡＮにより構築されるが、イーサネットTM以外のネットワーク３による接続であっても良い。また、ネットワーク３はインターネット４を介してサーバー５とも接続可能に構成されている。
【００２３】
これら写真処理装置１と端末処理装置２により構築される画像処理システムは、例えば、写真店内に設置されるものである。写真処理装置１と端末処理装置２とは、同じフロアーに設置される必要はなく、複数のフロアーに設置することができる。また、写真処理装置１や端末処理装置２の一部を距離的に離れた場所に設置してもよい。
【００２４】
次に、写真処理装置１の機能を簡単に説明する。写真処理装置１は、入力された画像データに基づいて、ペーパー（前記写真感光材料に相当する。）の乳剤面に画像を焼付露光させ、写真プリントを作成することができる。写真処理装置１に入力される画像データとしては、写真処理装置１に対して直接的に入力されるものと、ネットワーク３を介して入力されるものがある。
【００２５】
写真処理装置１に直接的に入力される画像データとして、例えば、スキャナー装置６で現像済み写真フィルムのコマ画像を読み取って取得した画像データがあげられる。当該画像データは、ただちに画像露光用として用いられるのではなく、一般に、写真処理装置１に設けられた第１画像処理部１０（図２参照。）において、種々の画像処理が行われる。画像処理の結果、入力された画像データに補正データが付随した形の画像処理データが得られ、この画像処理データに基づいて露光用画像データが生成されるとともに、ペーパーに対する画像の焼付露光が行われる。画像処理が行われない場合においても、入力された画像データには所定の補正データが付随するため、画像処理データが得られる。
【００２６】
一方、写真処理装置１にネットワーク３を介して入力される画像データとしては、端末処理装置２から送信されてくる画像データがあげられる。ここで、端末処理装置２の機能を簡単に説明する。端末処理装置２は、例えば、汎用のパソコンシステムにより構成することができるが、これに限定されるものではなく、特定の機能に特化したコンピュータにより構成してもよい。端末処理装置２で取り扱う画像データは、デジタルカメラの記憶メディア（スマートメディアTM、コンパクトフラッシュTM、メモリースティックTM等) やＣＤ−Ｒ、ＭＯ等の記録媒体に格納された画像データであり、これらの媒体から画像データを取得するためのドライブ装置が設けられている。
【００２７】
また、端末処理装置２には、画像処理を行うための第２画像処理部４０（前記画像処理部に相当する。図３参照。）が設けられており、写真処理装置１に入力される画像データは、第２画像処理部４０における画像処理の結果得られた画像処理データとなる。画像処理データは写真処理装置１に送信され、この画像処理データに基づいて露光用画像データが生成されて写真プリントの作成が行われる。
【００２８】
本発明に係る画像処理システムは、インターネット４を介してサーバー５にも接続可能に構成されており、このサーバー５により、一般ユーザーからのプリント注文をオンラインで受けることができる。すなわち、 ユーザーは、自分のパソコンを使用して、写真プリントを作成したい画像データをサーバー５にアップロードする。写真店では、サーバー５にアップロードされている画像データを適宜のタイミングでダウンロードして、写真プリントを作成することができる。また、サーバー５には、オンラインアルバムをユーザーに対して提供する機能も有する。なお、ダウンロードした画像データは、例えば、端末処理装置２内に保存される。
【００２９】
＜画像処理システムの機能ブロック構成＞
＜写真処理装置の機能ブロック構成＞
次に、画像処理システムの主要な機能を図２及び図３のブロック図を用いて説明する。まず、図２により、写真処理装置１の主要な機能を説明する。
【００３０】
スキャナー装置６は、現像済みの写真フィルムに形成されているコマ画像から画像データを取得するための装置である。また、写真フィルム以外の媒体からも画像データを取得するための画像入力装置７が設けられており、後述する端末処理装置２と同様に、各種記録媒体に格納された画像データを取得することができる。取得された画像データは、画像データ記憶部８に一旦記憶・保持される。
【００３１】
第１画像処理部１０は、画像データに対する画像処理を行う機能を有しており、ソフトウェアにより構成される。第１画像処理部１０は、ＧＵＩ１１と、画像処理手段１２と、ハード制御手段１３とにより構成される。
【００３２】
ＧＵＩ１１は、グラフィカル・ユーザー・インターフェイスであり、モニター画面を通じて画像処理に関するデータ入力操作等を行うことができる。オペレータはモニター画面を見て、色や濃度の補正を行なうべきであると判断した画像については、キーボード１６により補正データを入力する。補正データを入力すると、その補正データに基づいて修正された画像がモニター１５にリアルタイムで表示されるため、オペレータは目視で確認しながら適切に画像処理を行うことができる。画像処理は画像処理手段１２の機能によって行われ、画像処理された結果の画像が再度モニター１５に表示される。
【００３３】
補正データとしては、色や濃度の補正に関するものだけでなく、赤目補正、逆光補正、階調補正のような特殊な補正に関する補正パラメータも含まれる。また、プリント枚数のデータも補正データに含まれる。かかる補正データの入力はある程度試行錯誤的に行われるものであり、最終的に確定された補正データは、補正データ記憶部１７に一旦記憶される。画像データ記憶部８と補正データ記憶部１７とを合わせてデータ記憶部１８と定義する。
【００３４】
ハード制御手段１３は、ハードウェアである画像処理基板２０に対する制御を行う機能を有する。第１画像処理部１０において画像処理された結果得られた画像処理データは、画像処理基板２０に送信されて露光用画像データが作成される。この送信されてくる画像処理データは、上述のように、第１画像処理部１０で得られた画像処理データだけでなく、後述する第２画像処理部４０での画像処理の結果得られた画像処理データとなる場合もある。また、画像処理を行わない場合に、入力された画像データに所定の補正データが付随した形となった画像処理データとなる場合もある。
【００３５】
なお、第１画像処理部１０で画像処理を行った場合、画像処理データを直ちに画像処理基板２０に送らずに、あとで適当な時間帯にプリント処理することも可能であり、そのためにオーダーデータ蓄積部９にデータを蓄積するように構成されている。オーダーの概念については適宜設定することができるものであるが、例えば、写真フィルム１本、記録媒体１個を１オーダーとして扱うことができる。オーダーデータ蓄積部９には、画像データと補正データが保存され、これらのデータにはオーダーＩＤが付与されオーダー単位で管理される。また、画像処理後に直ちにプリント処理を行う場合であっても、データをオーダーデータ蓄積部９に蓄積しておくことが好ましい。これは、一度プリント処理を行った後に、焼き直し処理や焼き増し処理（リオーダー処理）を行うことがあるためである。なお、焼き増し処理とは、顧客からの依頼に応じて同じプリントの作成処理を行うものをいう。
【００３６】
また、第１画像処理部１０における画像処理やプリント作成処理を行う場合には、種々の設定データを予め設定しておく必要がある。設定データは、設定データファイル保存部１４に保存される。設定データとしては、例えば、プリントチャンネルに関するデータがあげられる。プリントチャンネルとは、写真プリント作成のために使用するペーパーの種類（面質やメーカーなど）、プリントサイズ、画像データの取得元（デジタルカメラからのデータかネガフィルムからのデータか等）等を登録したものである。したがって、デジタルカメラから取得された画像データに基づいて、特定のプリントサイズの写真プリントを作成しようとする場合は、それに適したプリントチャンネルを選択する必要があり、そのためには、そのようなプリントチャンネルを予め設定しておく必要がある。その他の設定データとしては、画像処理作業でキーボードから補正データを入力する場合のキー操作１回あたりの変化量があげられる。例えば、キーボードの特定のキーを１回押すと、Ｙ色が「＋１」だけ変化するところを「＋１．５」変化するように設定することもできる。
【００３７】
次に、画像処理基板２０について説明する。画像処理基板２０は、受信メモリ２１と画像処理手段２２と送信メモリ２３とファームウェア２４とが設けられている。画像処理基板２０は、露光用画像データを生成する機能を有する。受信メモリ２１は、送信されてきた画像処理データを受け取る。画像処理手段２２は、第１画像処理部１０の画像処理手段１２とは異なり、ハードウェアによるものである。補正データに基づいて、ファームウェア２４による処理内容を設定することができ、これに基づいて露光用画像データを生成するための処理が行われる。以上のように、ハードウェアを中核として画像処理基板２０が構成されているので、画像処理基板２０による画像処理は高速に処理される。
【００３８】
画像処理手段２２において行われる画像処理は、補正データに基づいて色や濃度を補正した補正画像データを生成するだけでなく、作成するべきプリントサイズと同じサイズのデータとなるような拡大処理、あるいは、画像の縦横を変換する回転処理、必要に応じて行われる赤目補正や逆光補正等の特殊補正、仕上がりの写真プリントの色合いとモニター画面における色合いを合わせるためのカラーマッチング補正、現像処理液の種類や経時変化を考慮した補正等があげられる。また、ＪＰＥＧ等の圧縮ファイル形式の画像データをビットマップに展開する処理も行われる。画像処理手段２２により処理された結果得られた露光用画像データは、送信メモリ２３に送られる。
【００３９】
ペーパーマガジン３０には、写真感光材料である長尺状ペーパーがロールに巻き取られた形態で収容されている。ペーパーマガジン３０は、写真処理装置１に複数台取り付けることもできる。これにより、ペーパーサイズの異なるものを複数種類予め用意しておくことができる。ペーパーマガジン３０から引き出されたペーパーは、所定の搬送経路に沿って搬送されるように構成され、搬送経路途上に設けられたペーパーカッター３１により、所定のプリントサイズに切断される。切断されたペーパーは、露光エンジン３２（前記画像露光部に相当する。) に搬送される。露光エンジン３２は、画像処理基板２０の送信メモリ２３から転送されてきた露光用画像データを用いて、ペーパーの乳剤面の画像を露光形成する。露光エンジン３２は、一定速度で副走査方向に搬送されるペーパーに対して、露光光を主走査方向に走査することで潜像を形成させる。露光エンジン３２としては、種々の構造のものを採用することができ、例えば、レーザーエンジン、ＰＬＺＴエンジン、ＣＲＴエンジン等を採用することができる。
【００４０】
露光エンジン３２より搬送経路の下流側には、印字装置３６（前記印字手段に相当する。）が設置される。印字装置３６として、例えば、インクリボンを押圧することで印字可能なドットインパクト式印字装置があげられる。印字装置３６の制御はコントローラ３７によって行われ、コントローラ３７はキーボード１６および識別情報設定部２６と接続されている。露光エンジン３２により画像を焼付露光されたペーパーは、搬送経路の下流側に搬送され、印字装置３６によってベース面に対する印字がなされる。
【００４１】
作成された写真プリントの裏印字（以下、ＣＶＰと呼ぶ。）の一例を図４（ａ）に示す。ＣＶＰに表示される情報（以下、ＣＶＰ情報と呼ぶ。）としては、色や濃度の補正に関する画像補正情報、オーダーＩＤ、フィルムのコマ番号などがあげられる。これらは各端末処理装置ごとに予め定められており、図４では図番６１で示される。但し、本発明では、端末処理装置２から送信された識別情報を、データ通信部２５を介してコントローラ３７に送信することで、当該識別情報をペーパーのベース面に印字可能に構成されている。これにより、図４の図番６２で示されるように、端末処理装置２の識別情報をＣＶＰ情報とすることができる。なお、識別情報を印字するか否かは、オペレータが任意に選択することができる。識別情報は、図４に示すものに限られるものではなく、具体的な内容については後述する。
【００４２】
識別情報設定部２６は、識別情報を任意に設定可能とする機能を有する。これにより、写真処理装置１において各端末処理装置２の識別情報を一元的に設定することができる。判定手段２７は、識別情報を設定する際、その設定しようとする識別情報が、ネットワーク３に接続された他の端末処理装置２において既に設定されているか否かを判定する機能を有する。当該判定処理は、例えば、他の端末処理装置２の識別情報を、それぞれネットワーク３を介して取得することで行うことができる。
【００４３】
警告手段２８は、判定手段２７による判定の結果、設定しようとする識別情報がネットワーク３に接続された他の端末処理装置２において既に設定されている場合に、その旨を警告する機能を有している。これにより、各端末処理装置に設定される識別情報の重複を避けることができ、写真プリントの作成に係る端末処理装置を確実に特定することができる。警告方法は、特に限定されないが、例えば、警告音を鳴らしたり、モニター１５にメッセージをポップアップ表示させたりする方法があげられる。
【００４４】
管理手段２９は、識別情報の設定状況を管理する機能を有し、コントローラ３７に送信された各端末処理装置２の識別情報を、一覧としてモニター１５に表示したり、その一覧をプリント出力したりすることができる。プリント出力する場合は、各識別情報のデータを画像変換部１９に送信し、画像変換部１９の機能に基づいて画像データに変換して第１画像処理部１０に送信することで、上述の手順によりプリント処理が行われる。
【００４５】
図４（ｂ）は、識別情報の一覧をプリント出力した例であり、モニター１５に表示可能な一覧の例でもある。図４（ｂ）は、各端末処理装置Ａ〜Ｄに、識別情報として、それぞれ「ＴｅｒｍｉｎａｌＡ〜Ｄ」を設定したものである。これにより、オペレータは各端末処理装置２に設定された識別情報を容易に把握することができるため、識別情報の管理を効率的に行うことができる。
【００４６】
更に、オペレータは、ＣＶＰ情報と、モニター１５に表示された又はプリント出力された識別情報の一覧とを、写真プリントを作成したその場で照合することができるため、写真プリントの作成に係る端末処理装置２を容易に特定することができる。例えば、図４（ａ）のＣＶＰを有する写真プリントの焼き直し処理を行う場合、そのＣＶＰ情報と図４（ｂ）の一覧とを照合することで、その写真プリントが端末処理装置Ａを用いて作成されたものであることがわかる。
【００４７】
焼付露光処理およびＣＶＰ印字処理がなされたペーパーは、現像処理部３３に送り込まれ現像処理が施された後、乾燥処理部３４で乾燥処理が施され、ペーパー排出部３５から仕上がりの写真プリントが装置外部に排出される。排出された写真プリントは、１オーダー単位で不図示の集積部に集積される。
【００４８】
＜端末処理装置の機能ブロック構成＞
端末処理装置２の機能を図３のブロック図により説明する。端末処理装置２には、写真処理装置１と同様に画像処理を行うための第２画像露光部４０が設けられている。この第２画像露光部４０は、ソフトウェアにより構成されるものであり、ＧＵＩ４１と、画像処理手段４２と、ネットワーク制御手段４３として機能するモジュールを備えている。このＧＵＩ４１と画像処理手段４２については、写真処理装置１の第１画像露光部１０におけるＧＵＩ１１及び画像処理手段１２と同じ機能を有する。また、端末処理装置２において得られた画像処理データは、ネットワーク制御手段４３の機能に基づいて、ネットワーク３を経由して写真処理装置１に送信することができる。
【００４９】
端末処理装置２には、画像処理やその他の写真処理作業を行うため、モニター４４とキーボード４５が設けられている。また、設定データファイル保存部４６には設定データファイルが保存されており、基本的にこのファイルは写真処理装置１に保存されている設定データファイルと同じものが使用される。これにより、写真処理装置１と端末処理装置２とで同じ条件下で画像処理等の作業を行うことができ、写真処理装置１と端末処理装置２のいずれで画像処理を行ったとしても、同じ品質の写真プリントが得られるようにしている。
【００５０】
画像入力装置４７は、デジタルカメラの記憶メディアやその他の記録媒体から画像データを取得するための装置である。入力された画像データは、一旦画像データ記憶部４８に記憶される。また、第２画像処理部４０による画像処理で得られた補正データは、補正データ記憶部４９に一旦保存される。画像データ記憶部４８と補正データ記憶部４９については、図２における画像データ記憶部８及び補正データ記憶部１７と同じである。画像データ記憶部４８及び補正データ記憶部４９とを合わせてデータ記憶部５３と定義する。
【００５１】
第２画像処理部４０による画像処理の作業は、すでに写真処理装置１のところで説明したものと同じである。但し、第２画像処理部４０は、画像処理により得られた画像処理データに、端末処理装置２が備える識別情報を付随させる機能を有する。これにより、画像処理データをデータ通信部５１を介してネットワーク３に送出する際、識別情報は画像処理データに相伴って送出され、ネットワーク３を経由して写真処理装置１に送信されることになる。
【００５２】
識別情報は、識別情報保存部５４に保存されている。当該識別情報の形態は特に限定されるものではなく、例えば、英数字や記号、文字列などでもよい。識別情報は、キーボード４５からオペレータの手作業によって設定することができるが、端末処理装置２のコンピュータ名や、ネットワーク３におけるＩＤ番号（例えば、イーサネットTMによるＬＡＮにより構築されるネットワークのＭＡＣアドレスなど）などを、自動設定するものでもよい。
【００５３】
端末処理装置２は、識別情報設定部５５、判定手段５６および警告手段５７を備えており、これらは写真処理装置１における識別情報設定部２６、判定手段２７および警告手段２８と同じ機能を有する。すなわち、端末処理装置２において識別情報を任意に設定することができ、更に、各端末処理装置に設定される識別情報の重複を避けることができる。
【００５４】
第２画像処理部４０での画像処理で得られた画像処理データを用いて写真プリントを作成する際、直ちにプリント処理を行う必要はなく、データを蓄積しておいて、後でプリント処理をまとめて行うようにすることもできる。そのために、オーダーデータ蓄積部５０が設けられており、ここにオーダーデータを蓄積しておくことができる。これは、図２のオーダーデータ蓄積部９の場合と同じである。すなわち、 焼き直し処理や焼き増し処理に容易に対応することができる。
【００５５】
画像データ書き込み装置５２は、ＣＤ−ＲやＤＶＤ等の記録媒体に画像データを書き込む装置である。この場合は、データ通信部５１から出力される画像データは画像データ書き込み装置５２へと転送される。画像データ書き込み装置５２へ転送されるデータは、画像データと補正データではなく、補正データにより補正された補正画像データが転送されることになる。この補正画像データを生成する処理は、端末処理装置２においてソフトウェア的に行われる。この画像データ書き込み装置５２は、複数設けられる端末処理装置２の全てに設けておく必要はなく、特定の端末処理装置２にのみ装備するようにしても良い。
【００５６】
＜プリント作成処理手順＞
次に、端末処理装置２で受け付けられた画像データを用いて、写真処理装置１で写真プリントを作成する場合の処理手順の概略を図５のフローチャートにより説明する。
【００５７】
まず、端末処理装置２の画像入力装置４７を介して記憶メディアから画像データを取得する（＃０１）。入力された画像データは、一旦画像データ記憶部４８に記憶される。入力された画像をモニター４４の画面に表示させて、適切な色や濃度のプリントが作成されるか否かを判定する。必要に応じて、色や濃度の補正データを入力し、またその他必要な画像処理作業を行う（＃０２）。
【００５８】
画像処理作業はオーダー単位で行われ、１オーダー分の画像処理データが生成されると（＃０３）、第２画像処理部４０は識別情報保存部５４に保存されている識別情報を取得して（＃０４）、画像処理データに付随させる。そして、プリント処理を行うか否かを判断し（＃０５）、直ちにプリント処理を行わない場合は、画像処理データをオーダーデータとしてオーダーデータ蓄積部５０に蓄積しておく（＃０８）。また、直ちにプリント処理を行う場合であっても、画像処理データをオーダーデータ蓄積部５０に蓄積しておく（＃０６）。これは、既に説明したように、後で顧客から焼き直し処理等の依頼があった場合に対応するためである。生成した画像処理データは、データ通信部５１を介してネットワークへ送出する（＃０７）。
【００５９】
なお、本発明の場合、ネットワーク３に送出する画像処理データに含まれる画像データは、画像入力装置４７から入力された時の画像データと同じデータを送出するものでもよい。これにより、入力された画像データが圧縮ファイルであれば、送出する画像データも圧縮ファイルとなるので、送出するデータ量を極力抑えることができ、ネットワーク３の混雑を避けることができる。
【００６０】
ネットワーク３に送出された画像処理データは、写真処理装置１に受け取られる（＃１０）。受け取られた画像処理データは、データ通信部２５において画像処理基板２０に送られ、画像処理データに付随していた識別情報はコントローラ３７に送られる。画像処理基板２０では、送信されてきた画像処理データに基づいて画像処理手段２２よる最終的な画像処理が行われて露光用画像データが生成される（＃１２）。生成された露光用画像データは露光エンジン３２に転送され、ペーパーに画像が焼付露光される（＃１３）。続いて、印字装置３６によってペーパーに印字処理がなされる（＃１４）。コントローラ３７には識別情報が送信されており、端末処理装置２又は写真処理装置１において設定された識別情報を印字することができる。そして、ペーパーに現像処理及び乾燥処理が施された後（＃１５）、仕上がりの写真プリントとして装置外部に排出される（＃１６）。
【００６１】
＜別実施形態＞
（１）前述の実施形態では、ペーパーのベース面に識別情報を印字する例を示したが、本発明では、ペーパーの乳剤面側に識別情報を印字するものでもよい。
【００６２】
（２）前述の実施形態では、印字手段としてドットインパクト式印字装置を備える例を示したが、本発明における印字手段は、当該印字装置とは別の装置でもよい。また、本発明における印字手段が設置される箇所は、前述の実施形態で示した箇所に限られず、例えば、図２において、印字装置３６が露光エンジン３２の上流側に設置されるものでもよい。
【００６３】
（３）前述の実施形態では、画像データと補正データを含む画像処理データを端末処理装置から写真処理装置へと送信するようにしている。この画像データは、端末処理装置に入力されたときの画像データと同じにしているが、一部の補正パラメータにより補正した補正画像データと、残りの補正データを送信するようにしても良い。
【００６４】
（４）本発明に係る画像処理システムは、画像処理部と画像露光部が一体化された装置でなくても良い。例えば、図１ではスキャナー装置６は写真処理装置本体と切り離された構造になっているが、これと同じように画像処理部と画像露光部とを切り離した構造としても良い。切り離した場合は、通信回線により接続がされる。
【図面の簡単な説明】
【００６５】
【図１】システムの概要を示す模式図
【図２】写真処理装置の構成を示す機能ブロック図
【図３】端末処理装置の構成を示す機能ブロック図
【図４】ＣＶＰおよび管理手段による識別情報の一覧を示す図
【図５】プリント作成処理の手順を示すフローチャート
【符号の説明】
【００６６】
１      写真処理装置
２      端末処理装置
３      ネットワーク
１０    第１画像処理部
１５    モニター
１６    キーボード
１９    画像変換部
２０    画像処理基板
２２    画像処理手段
２５    データ通信部
２６    識別情報設定部
２７    判定手段
２８    警告手段
２９    管理手段
３２    露光エンジン
３６    印字装置
３７    コントローラ
４０    第２画像処理部
４２    画像処理手段
４４    モニター
４５    キーボード
４７    画像入力装置
５０    オーダーデータ蓄積部
５１    データ通信部
５４    識別情報保存部
５５    識別情報設定部
５６    判定手段
５７    警告手段
【図１】
2005196622.tif 000003
【図２】
2005196622.tif 000004
【図３】
2005196622.tif 000005
【図４】
2005196622.tif 000006
【図５】
2005196622.tif 000007